(57)【要約】      （修正有）【課題】２つの画像を互いに異なる方向に表示する２画像表示と、１つの画像を正面方向に表示する１画像表示とを行う。【解決手段】液晶表示素子１の偏光板１０の透過軸１０ａに対して４５°傾いた直線偏光からなる第１照明光を液晶表示素子１の法線方向に対して画素行１３ａ，１３ｂの一端方向に傾いた方向に、第１の照明光に対して直交する直線偏光からなる第２照明光を法線方向に対して画素行の他端方向に傾いた方向に、非偏光の光からなる第３照明光を法線方向に照射する面光源１５と、λ／２位相差膜４０と、λ／２位相差膜４１が形成された偏光制御素子３８を配置した。【選択図】図１
2008233674.tif 000002
【特許請求の範囲】
【請求項１】
表示の観察側に対向する前面とその反対側の後面とのうちの少なくとも前記後面に偏光板が配置され、光の透過を制御する複数の画素が行及び列方向に配列させて形成された画面エリアを有し、前記複数の画素に画像データが書込まれ、その画像データに応じた画像を表示する表示素子と、
前記表示素子の後側に配置され、前記表示素子の画面エリアに向けて、前記表示素子の後面の偏光板の透過軸に対して一方の方向に実質的に４５°傾いた偏光面をもった直線偏光からなり、前記表示素子の法線方向に対して前記画素行の一端方向に予め定めた角度傾いた方向に光強度のピークをもった指向性を有する第１の照明光と、前記第１の照明光の偏光面に対して実質的に直交する偏光面をもった直線偏光からなり、前記表示素子の法線方向に対して前記画素行の他端方向に予め定めた角度傾いた方向に光強度のピークをもった指向性を有する第２の照明光と、非偏光の光からなり、前記表示素子の法線方向に光強度のピークをもった指向性を有する第３の照明光とを照射する面光源と、
前記面光源と前記表示素子との間に配置され、前記表示素子の複数の画素行のうちの奇数番の各画素行にそれぞれ対応する複数の領域に、前記面光源から照射された前記第１と第２の照明光のうちの前記第１の照明光の偏光面を前記表示素子の後面の偏光板の透過軸と実質的に平行な方向に回転させ、前記第２の照明光の偏光面を前記表示素子の後面の偏光板の透過軸と実質的に直交する方向に回転させる第１の偏光制御部がそれぞれ形成され、前記表示素子の偶数番の各画素行にそれぞれ対応する複数の領域に、前記面光源から照射された前記第１と第２の照明光のうちの前記第１の照明光の偏光面を前記表示素子の後面の偏光板の透過軸と実質的に直交する方向に回転させ、前記第２の照明光の偏光面を前記表示素子の後面の偏光板の透過軸と実質的に平行な方向に回転させる第２の偏光制御部がそれぞれ形成された偏光制御素子と、
前記面光源から前記第１と第２の照明光を照射させ、前記表示素子の前記奇数番の各画素行の複数の画素に、前記表示素子の法線方向に対して前記画素行の一端方向に傾いた方向から観察させる第１の画像を表示するための第１の画像データを書込み、前記偶数番の各画素行の複数の画素に、前記表示素子の法線方向に対して前記画素行の他端方向に傾いた方向から観察させる第２の画像を表示するための第２の画像データを書込む２画像表示駆動と、前記面光源から前記第３の照明光を照射させ、前記表示素子の全ての画素行の複数の画素に、前記表示素子の法線方向から観察させる第３の画像を表示するための第３の画像データを書込む１画像表示駆動とを行う駆動手段と、
を備えることを特徴とする表示装置。
【請求項２】
前記駆動手段は、前記１画像表示駆動時に、前記面光源から前記第３の照明光と前記第１と第２の照明光とを照射させる手段をさらに備えていることを特徴とする請求項１に記載の表示装置。
【請求項３】
前記偏光制御素子の第１の偏光制御部は、前記面光源から照射された前記第１の照明光の偏光面に対して一方の方向に実質的に２２．５°の角度方向に遅相軸を有し、透過光の常光と異常光との間に１／２波長の位相差を与える第１のλ／２位相差膜からなり、第２の偏光制御部は、前記第１の照明光の偏光面に対して前記一方の方向とは反対方向に実質的に２２．５°の角度方向に遅相軸を有し、透過光の常光と異常光との間に１／２波長の位相差を与える第２のλ／２位相差膜からなっていることを特徴とする請求項１に記載の表示装置。
【請求項４】
前記面光源は、前記表示素子の画面エリアに対応する領域の周囲のうちの前記画素行の一端方向及び他端方向の２つの端部と、前記画素行に対して直交する方向の２つの端部の少なくとも一方とにそれぞれ、前記表示素子の法線方向に対して実質的に直交する方向から光を入射させるための入射部を有し、前記表示素子の画面エリアに対応する領域に、前記各入射部から入射した光を前記表示素子に向けて反射する反射面が形成された導光手段と、前記導光手段の各入射部にそれぞれ対向させて配置され、前記導光手段に向けて光を発する第１、第２、第３の発光素子と、前記導光手段の各入射部のうちの前記画素行の一端方向の第１の入射部とこの第１の入射部に対向する前記第１の発光素子との間に配置された第１の偏光素子と、前記導光手段の前記画素行の他端方向の第２の入射部とこの第２の入射部に対向する前記第２の発光素子との間に配置された第２の偏光素子と、前記導光手段の前記表示素子に対向する側に配置され、前記第１の入射部から入射し、前記反射面により反射された光を、前記表示素子の法線方向に対して前記画素行の一端方向に傾いた方向に出射させ、前記第２の入射部から入射し、前記反射面により反射された光を、前記表示素子の法線方向に対して前記画素行の他端方向に傾いた方向に出射させ、前記画素行に対して直交する方向の第３の入射部から入射し、前記反射面により反射された光を、前記表示素子の法線方向に出射させる出射方向制御手段とからなっていることを特徴とする請求項１に記載の表示装置。
【請求項５】
前記１の偏光素子は、その透過軸を、前記導光手段の光が出射する出射面の法線方向と平行な方向に向けて配置され、前記第２の偏光素子は、その透過軸を、前記第１の偏光素子の透過軸に対して実質的に直交する方向に向けて配置されていることを特徴とする請求項４に記載の表示装置。
【請求項６】
前記面光源の出射方向制御手段は、透明フィルムの前記導光手段に対向する面に、前記導光手段に向かって突出し、且つ、前記導光手段の第１の入射部の方向に向いた第１の入射面と、前記導光手段の第２の入射部の方向に向いた第２の入射面と、前記導光手段の第３の入射部の方向に向いた第３の入射面とを有し、前記第１の入射部から入射し、前記反射面により反射されて前記第１の入射面から入射した光を、前記第１の入射面により屈折させて前記透明フィルムの他方の面から前記表示素子の法線方向に対して前記画素行の一端方向に傾いた方向に出射させ、前記第２の入射部から入射し、前記反射面により反射されて前記第２の入射面から入射した光を、前記第２の入射面により屈折させて前記透明フィルムの他方の面から前記表示素子の法線方向に対して前記画素行の他端方向に傾いた方向に出射させ、前記第３の入射部から入射し、前記反射面により反射されて前記第３の入射面から入射した光を、前記第３の入射面により屈折させて前記透明フィルムの他方の面から前記表示素子の法線方向に出射させる複数のプリズム部が密なピッチで配列させて形成されたプリズムシートからなっていることを特徴とする請求項４に記載の表示装置。
【請求項７】
前記プリズムシートの複数のプリズム部の第１、第２、第３の各入射面は、前記透明フィルム側から前記導光手段側に向かって前記プリズム部の中心方向に傾いた傾斜面からなっており、これらの入射面の前記透明フィルム面に対する傾斜角が、前記第１の入射面の傾斜角をθ１、前記第２の入射面の傾斜角をθ２、前記第３の入射面の傾斜角をθ３としたとき、θ１＝θ２＜θ３の関係に設定されていることを特徴とする請求項６に記載の表示装置。
【請求項８】
前記プリズムシートの複数のプリズム部は、前記透明フィルム側の基部の断面形状が、前記第１と第２の入射面にそれぞれ対応する２つの辺の長さが前記第３の入射面に対応する辺の長さよりも短い長方形状に形成され、前記導光手段側の頂部の断面形状が、前記第１と第２と第３の各入射面にそれぞれ対応する各辺の長さが前記長方形状の短辺の長さよりも短い正方形状に形成された実質的に四角錐状の凸部からなっていることを特徴とする請求項７に記載の表示装置。
【請求項９】
前記プリズムシートの複数のプリズム部は、前記透明フィルム側の基部の断面形状が、前記第１と第２の入射面にそれぞれ対応する２つの辺の長さが前記第３の入射面に対応する辺の長さよりも短い長方形状で、且つその４つの角部がそれぞれ円弧状に面取りされた形状に形成され、前記導光手段側の頂部の断面形状が、前記第１と第２と第３の各入射面にそれぞれ対応する各辺の長さが前記長方形状の短辺の長さよりも短い正方形状で、且つその４つの角部がそれぞれ前記基部の断面形状の円弧状部よりも小さい半径で円弧状に面取りされた形状に形成された実質的に錐状の凸部からなっていることを特徴とする請求項７に記載の表示装置。
【請求項１０】
前記プリズム部の頂部の断面形状の中心は、前記透明フィルムの法線方向と平行で且つ前記プリズム部の基部の断面形状の中心を通る線上に位置していることを特徴とする請求項８または９に記載の表示装置。
【請求項１１】
前記プリズム部は、その頂部が前記透明フィルム面と平行な平坦面に形成された実質的に裁頭錐状の凸部からなっていることを特徴とする請求項８または９に記載の表示装置。
【請求項１２】
前記プリズムシートの複数のプリズム部は、前記表示素子の画素行と平行な方向と前記画素行と直交する方向とに実質的に同じピッチで配列させて形成されていることを特徴とする請求項８または９に記載の表示装置。
【請求項１３】
前記表示素子の画素行と平行な方向に配列された複数のプリズム部は連続的に形成され、前記画素行と直交する方向に配列された複数のプリズム部は、隣合うプリズム部の間に間隔を設けて形成されていることを特徴とする請求項８または９に記載の表示装置。
【発明の詳細な説明】
【技術分野】
【０００１】
この発明は、２つの画像を互いに異なる方向に表示する２画像表示と、１つの画像を正面方向に表示する１画像表示とを行うことができる表示装置に関する。
【背景技術】
【０００２】
２つの画像を互いに異なる方向に表示する表示装置としては、例えば、ナビゲーション画像とビデオ画像等とを運転席方向と助手席方向とに表示するカーナビゲーション用表示装置がある（特許文献１参照）。
【０００３】
この表示装置は、液晶表示素子等の表示素子の１列または複数列の画素からなる複数の領域のうち、１つ置きの領域の各画素により例えばナビゲーション画像等の第１の画像を表示し、他の１つ置きの領域の各画素より例えばビデオ画像等の第２の画像を表示し、前記表示素子の前記１つ置きの領域からの出射光と、他の１つ置きの領域からの出射光とを、複数の透過部と遮光部が交互に並べてストライプ状に形成されたパララックスバリアの複数の透過部にカラーフィルタを設けた視差光学素子により、前記表示素子の法線方向に対して左方向と右方向に傾いた２つの方向に振り分けて出射する構成となっている。
【特許文献１】特開２００５−０７８０９２号公報
【発明の開示】
【発明が解決しようとする課題】
【０００４】
この発明は、従来とは異なる新規な方式で、２つの画像を互いに異なる方向に表示する２画像表示と、１つの画像を正面方向に表示する１画像表示とを行うことができる表示装置を提供することを目的としたものである。
【課題を解決するための手段】
【０００５】
この発明の請求項１に記載の表示装置は、
表示の観察側に対向する前面とその反対側の後面とのうちの少なくとも前記後面に偏光板が配置され、光の透過を制御する複数の画素が行及び列方向に配列させて形成された画面エリアを有し、前記複数の画素に画像データが書込まれ、その画像データに応じた画像を表示する表示素子と、
前記表示素子の後側に配置され、前記表示素子の画面エリアに向けて、前記表示素子の後面の偏光板の透過軸に対して一方の方向に実質的に４５°傾いた偏光面をもった直線偏光からなり、前記表示素子の法線方向に対して前記画素行の一端方向に予め定めた角度傾いた方向に光強度のピークをもった指向性を有する第１の照明光と、前記第１の照明光の偏光面に対して実質的に直交する偏光面をもった直線偏光からなり、前記表示素子の法線方向に対して前記画素行の他端方向に予め定めた角度傾いた方向に光強度のピークをもった指向性を有する第２の照明光と、非偏光の光からなり、前記表示素子の法線方向に光強度のピークをもった指向性を有する第３の照明光とを照射する面光源と、
前記面光源と前記表示素子との間に配置され、前記表示素子の複数の画素行のうちの奇数番の各画素行にそれぞれ対応する複数の領域に、前記面光源から照射された前記第１と第２の照明光のうちの前記第１の照明光の偏光面を前記表示素子の後面の偏光板の透過軸と実質的に平行な方向に回転させ、前記第２の照明光の偏光面を前記表示素子の後面の偏光板の透過軸と実質的に直交する方向に回転させる第１の偏光制御部がそれぞれ形成され、前記表示素子の偶数番の各画素行にそれぞれ対応する複数の領域に、前記面光源から照射された前記第１と第２の照明光のうちの前記第１の照明光の偏光面を前記表示素子の後面の偏光板の透過軸と実質的に直交する方向に回転させ、前記第２の照明光の偏光面を前記表示素子の後面の偏光板の透過軸と実質的に平行な方向に回転させる第２の偏光制御部がそれぞれ形成された偏光制御素子と、
前記面光源から前記第１と第２の照明光を照射させ、前記表示素子の前記奇数番の各画素行の複数の画素に、前記表示素子の法線方向に対して前記画素行の一端方向に傾いた方向から観察させる第１の画像を表示するための第１の画像データを書込み、前記偶数番の各画素行の複数の画素に、前記表示素子の法線方向に対して前記画素行の他端方向に傾いた方向から観察させる第２の画像を表示するための第２の画像データを書込む２画像表示駆動と、前記面光源から前記第３の照明光を照射させ、前記表示素子の全ての画素行の複数の画素に、前記表示素子の法線方向から観察させる第３の画像を表示するための第３の画像データを書込む１画像表示駆動とを行う駆動手段と、
を備えることを特徴とする。
【０００６】
請求項２に記載の発明は、前記請求項１に記載の表示装置において、前記駆動手段は、前記１画像表示駆動時に、前記面光源から前記第３の照明光と前記第１と第２の照明光とを照射させる手段をさらに備えていることを特徴とする。
【０００７】
請求項３に記載の発明は、前記請求項１に記載の表示装置において、前記偏光制御素子の第１の偏光制御部は、前記面光源から照射された前記第１の照明光の偏光面に対して一方の方向に実質的に２２．５°の角度方向に遅相軸を有し、透過光の常光と異常光との間に１／２波長の位相差を与える第１のλ／２位相差膜からなり、第２の偏光制御部は、前記第１の照明光の偏光面に対して前記一方の方向とは反対方向に実質的に２２．５°の角度方向に遅相軸を有し、透過光の常光と異常光との間に１／２波長の位相差を与える第２のλ／２位相差膜からなっていることを特徴とする。
【０００８】
請求項４に記載の発明は、前記請求項１に記載の表示装置において、前記面光源は、前記表示素子の画面エリアに対応する領域の周囲のうちの前記画素行の一端方向及び他端方向の２つの端部と、前記画素行に対して直交する方向の２つの端部の少なくとも一方とにそれぞれ、前記表示素子の法線方向に対して実質的に直交する方向から光を入射させるための入射部を有し、前記表示素子の画面エリアに対応する領域に、前記各入射部から入射した光を前記表示素子に向けて反射する反射面が形成された導光手段と、前記導光手段の各入射部にそれぞれ対向させて配置され、前記導光手段に向けて光を発する第１、第２、第３の発光素子と、前記導光手段の各入射部のうちの前記画素行の一端方向の第１の入射部とこの第１の入射部に対向する前記第１の発光素子との間に配置された第１の偏光素子と、前記導光手段の前記画素行の他端方向の第２の入射部とこの第２の入射部に対向する前記第２の発光素子との間に配置された第２の偏光素子と、前記導光手段の前記表示素子に対向する側に配置され、前記第１の入射部から入射し、前記反射面により反射された光を、前記表示素子の法線方向に対して前記画素行の一端方向に傾いた方向に出射させ、前記第２の入射部から入射し、前記反射面により反射された光を、前記表示素子の法線方向に対して前記画素行の他端方向に傾いた方向に出射させ、前記画素行に対して直交する方向の第３の入射部から入射し、前記反射面により反射された光を、前記表示素子の法線方向に出射させる出射方向制御手段とからなっていることを特徴とする。
【０００９】
請求項５に記載の発明は、前記請求項４に記載の表示装置において、前記１の偏光素子は、その透過軸を、前記導光手段の光が出射する出射面の法線方向と平行な方向に向けて配置され、前記第２の偏光素子は、その透過軸を、前記第１の偏光素子の透過軸に対して実質的に直交する方向に向けて配置されていることを特徴とする。
【００１０】
請求項６に記載の発明は、前記請求項４に記載の表示装置において、前記面光源の出射方向制御手段は、透明フィルムの前記導光手段に対向する面に、前記導光手段に向かって突出し、且つ、前記導光手段の第１の入射部の方向に向いた第１の入射面と、前記導光手段の第２の入射部の方向に向いた第２の入射面と、前記導光手段の第３の入射部の方向に向いた第３の入射面とを有し、前記第１の入射部から入射し、前記反射面により反射されて前記第１の入射面から入射した光を、前記第１の入射面により屈折させて前記透明フィルムの他方の面から前記表示素子の法線方向に対して前記画素行の一端方向に傾いた方向に出射させ、前記第２の入射部から入射し、前記反射面により反射されて前記第２の入射面から入射した光を、前記第２の入射面により屈折させて前記透明フィルムの他方の面から前記表示素子の法線方向に対して前記画素行の他端方向に傾いた方向に出射させ、前記第３の入射部から入射し、前記反射面により反射されて前記第３の入射面から入射した光を、前記第３の入射面により屈折させて前記透明フィルムの他方の面から前記表示素子の法線方向に出射させる複数のプリズム部が密なピッチで配列させて形成されたプリズムシートからなっていることを特徴とする。
【００１１】
請求項７に記載の発明は、前記請求項６に記載の表示装置において、前記プリズムシートの複数のプリズム部の第１、第２、第３の各入射面は、前記透明フィルム側から前記導光手段側に向かって前記プリズム部の中心方向に傾いた傾斜面からなっており、これらの入射面の前記透明フィルム面に対する傾斜角が、前記第１の入射面の傾斜角をθ１、前記第２の入射面の傾斜角をθ２、前記第３の入射面の傾斜角をθ３としたとき、θ１＝θ２＜θ３の関係に設定されていることを特徴とする。
【００１２】
請求項８に記載の発明は、前記請求項７に記載の表示装置において、前記プリズムシートの複数のプリズム部は、前記透明フィルム側の基部の断面形状が、前記第１と第２の入射面にそれぞれ対応する２つの辺の長さが前記第３の入射面に対応する辺の長さよりも短い長方形状に形成され、前記導光手段側の頂部の断面形状が、前記第１と第２と第３の各入射面にそれぞれ対応する各辺の長さが前記長方形状の短辺の長さよりも短い正方形状に形成された実質的に四角錐状の凸部からなっていることを特徴とする。
【００１３】
請求項９に記載の発明は、前記請求項７に記載の表示装置において、前記プリズムシートの複数のプリズム部は、前記透明フィルム側の基部の断面形状が、前記第１と第２の入射面にそれぞれ対応する２つの辺の長さが前記第３の入射面に対応する辺の長さよりも短い長方形状で、且つその４つの角部がそれぞれ円弧状に面取りされた形状に形成され、前記導光手段側の頂部の断面形状が、前記第１と第２と第３の各入射面にそれぞれ対応する各辺の長さが前記長方形状の短辺の長さよりも短い正方形状で、且つその４つの角部がそれぞれ前記基部の断面形状の円弧状部よりも小さい半径で円弧状に面取りされた形状に形成された実質的に錐状の凸部からなっていることを特徴とする。
【００１４】
請求項１０に記載の発明は、前記請求８または９に記載の表示装置において、前記プリズム部の頂部の断面形状の中心は、前記透明フィルムの法線方向と平行で且つ前記プリズム部の基部の断面形状の中心を通る線上に位置していることを特徴とする。
【００１５】
請求項１１に記載の発明は、前記請求８または９に記載の表示装置において、前記プリズム部は、その頂部が前記透明フィルム面と平行な平坦面に形成された実質的に裁頭錐状の凸部からなっていることを特徴とする。
【００１６】
請求項１２に記載の発明は、前記請求８または９に記載の表示装置において、前記プリズムシートの複数のプリズム部は、前記表示素子の画素行と平行な方向と前記画素行と直交する方向とに実質的に同じピッチで配列させて形成されていることを特徴とする。
【００１７】
請求項１３に記載の発明は、前記請求８または９に記載の表示装置において、前記表示素子の画素行と平行な方向に配列された複数のプリズム部は連続的に形成され、前記画素行と直交する方向に配列された複数のプリズム部は、隣合うプリズム部の間に間隔を設けて形成されていることを特徴とする。
【発明の効果】
【００１８】
この発明の表示装置によれば、２つの画像を互いに異なる方向に表示する２画像表示と、１つの画像を正面方向に表示する１画像表示とを行うことができる。
【発明を実施するための最良の形態】
【００１９】
以下、この発明の一実施例を図１〜図１４を参照して説明する。この実施例の表示装置は、画像を表示するための表示素子として液晶表示素子を備えた液晶表示装置である。
【００２０】
図１は前記液晶表示装置の斜視図であり、この液晶表示装置は、図１のように、表示の観察側に対向する前面とその反対側の後面にそれぞれ偏光板９，１０が配置され、光の透過を制御する複数の画素１２（図２参照）が複数行に配列させて形成された画面エリア１１を有し、前記複数の画素１２の各配列行からなる各画素行１３ａ，１３ｂの複数の画素１２に画像データが書込まれ、その画像データに応じた画像を表示する液晶表示素子１と、前記液晶表示素子１の後側に配置された面光源１５と、前記面光源１５と液晶表示素子１との間に配置された偏光制御素子３８と、前記液晶表示素子１と面光源１５の駆動手段４２とにより構成されている。
【００２１】
図２は前記液晶表示素子１の一部分の断面図であり、この液晶表示素子１は、予め定めた間隙を設けて対向配置された一対の透明基板２，３間の間隙に液晶層４が封入され、前記一対の基板２，３の互いに対向する内面のいずれか一方、例えば観察側とは反対側の基板（以下、後基板という）３の内面に、行方向（画面の左右方向）及び列方向（画面の上下方向）に配列させて形成された複数の画素電極５が設けられ、他方の基板、つまり観察側の基板（以下、前基板という）２の内面に、前記複数の画素電極５とそれぞれ対向する領域により複数の画素１２を形成する一枚膜状の透明な対向電極７が設けられた構成となっている。
【００２２】
なお、図１では前記画素行１３ａ，１３ｂの幅を大きく誇張しているが、前記画素電極５と対向電極７とが互いに対向する領域からなる画素１２は、一辺の長さが４５〜９０μｍの矩形形状または正方形状に形成されており、前記各画素行１３ａ，１３ｂの幅は、前記画素１２の列方向の長さと実質的に同じである。また、前記画素１２は、例えば２４０行×３２０列に配列されている。
【００２３】
この液晶表示素子１は、前記後基板３の内面に、前記複数の画素電極５にそれぞれ接続された複数のＴＦＴ６と、各行のＴＦＴ６にゲート信号を供給する複数の走査線（図示せず）と、各列のＴＦＴ６にデータ信号を供給する複数の信号線（図示せず）が設けられている。
【００２４】
なお、図２では前記ＴＦＴ６を簡略化しているが、このＴＦＴ６は、後基板３の板面上に形成されたゲート電極と、前記後基板３の板面上の略全域に前記ゲート電極を覆って形成された透明なゲート絶縁膜と、前記ゲート絶縁膜の上に前記ゲート電極と対向させて形成されたｉ型半導体膜と、前記ｉ型半導体膜の両側部の上にｎ型半導体膜を介して形成されたドレイン電極及びソース電極とからなっている。
【００２５】
そして、前記ＴＦＴ６のゲート電極は前記走査線に接続され、ドレイン電極は前記信号線に接続されており、前記画素電極５は、前記ゲート絶縁膜の上に形成され、その一端部において前記ＴＦＴ６のソース電極に接続されている。
【００２６】
さらに、前記前基板２の内面には、前記複数の画素１２にそれぞれ対応させて、赤、緑、青の３色のカラーフィルタ８Ｒ，８Ｇ，８Ｂが形成されており、その上に前記対向電極７が形成されている。
【００２７】
前記一対の基板２，３は、図示しない枠状のシール材を介して接合されており、これらの基板２，３間の間隙の前記シール材により囲まれた領域に、液晶層４が封入されている。なお、図２では省略しているが、前記一対の基板２，３の内面にはそれぞれ、前記電極５，７を覆って配向膜が形成されており、前記液晶層４の液晶分子は、各基板２，３の近傍における配向方向を前記配向膜により規定され、一対の基板２，３間において予め定めた配向状態に配向している。
【００２８】
この液晶表示素子１は、前記液晶層４の液晶分子をツイスト配向させたＴＮまたはＳＴＮ型、液晶分子を基板２，３面に対して実質的に垂直に配向させた垂直配向型、液晶分子をツイストさせることなく基板２，３面に対して実質的に平行に配向させた水平配向型、液晶分子をベンド配向させるベンド配向型のいずれか、あるいは強誘電性または反強誘電性液晶表示素子であり、前記偏光板９，１０は、それぞれの透過軸９ａ，１０ａ（図１参照）を予め定めた方向に向けて、前記一対の基板２，３の外面にそれぞれ貼り付けられている。
【００２９】
また、前記後基板３には、図１のように、その一側縁部、例えば前記列方向の一端側の縁部に、前記前基板２の外方に張出すドライバ搭載部３ａが形成されており、このドライバ搭載部３ａに、前記複数の走査線に順次ゲート信号を印加し、複数の信号線にデータ信号を印加するドライバ素子１４が搭載されている。
【００３０】
そして、前記複数の走査線と複数の信号線は、前記ドライバ搭載部３ａに導出されて前記ドライバ素子１４のゲート信号出力端子及びデータ信号出力端子にそれぞれ接続され、前記対向電極７は、前記シール材による基板接合部に設けられたクロス接続部（図示せず）を介して前記ドライバ素子１４の対向電極用端子に接続されている。
【００３１】
なお、この実施例の液晶表示素子１は、一対の基板２，３の内面それぞれに設けられた電極５，７間に電界を生じさせて液晶分子の配向状態を変化させるものであるが、それに限らず、一対の基板のいずれか一方の内面に複数の画素を形成する例えば櫛状の第１と第２の電極を設け、これらの電極間に横電界（基板面に沿う方向の電界）を生じさせて液晶分子の配向状態を変化させる横電界制御型のものでもよい。
【００３２】
前記液晶表示素子１の後側に配置された面光源１５は、前記液晶表示素子１の画面エリア１１の全域に向けて、前記液晶表示素子１の後面の偏光板１０の透過軸１０ａに対して一方の方向に実質的に４５°傾いた偏光面をもった直線偏光からなり、前記液晶表示素子１の法線方向に対して前記画素行１３ａ，１３ｂの一端方向に予め定めた角度傾いた方向に光強度のピークをもった指向性を有する第１の照明光３５（図４参照）と、前記第１の照明光３５の偏光面に対して実質的に直交する偏光面をもった直線偏光からなり、前記液晶表示素子１の法線方向に対して前記画素行１３ａ，１３ｂの他端方向に予め定めた角度傾いた方向に光強度のピークをもった指向性を有する第２の照明光３６（図４参照）と、非偏光の光からなり、前記液晶表示素子１の法線方向に光強度のピークをもった指向性を有する第３の照明光３７（図５参照）とを照射する。
【００３３】
図３は前記面光源１５の分解斜視図、図４及び図５は前記面光源１５の図１におけるIV−IV線及びV−V線に沿うハッチングを省略した断面図であり、この面光源１５は、前記液晶表示素子１の画面エリア１１に対応する領域の周囲のうちの前記画素行１３ａ，１３ｂの一端方向及び他端方向の２つの端部と、前記画素行１３ａ，１３ｂに対して直交する方向の２つの端部の一方とにそれぞれ、前記液晶表示素子１の法線方向に対して実質的に直交する方向から光を入射させるための入射部１７，１８，１９を有し、前記液晶表示素子１の画面エリア１１に対応する領域に、前記各入射部１７，１８，１９から入射した光を前記液晶表示素子１に向けて反射する反射面２１が形成された導光手段１６と、前記導光手段１６の各入射部１７，１８，１９にそれぞれ対向させて配置され、前記導光手段１６に向けて光を発する第１、第２、第３の発光素子２３，２４，２５と、前記導光手段１６の各入射部１７，１８，１９のうちの前記画素行１３ａ，１３ｂの一端方向の第１の入射部１７とこの第１の入射部１７に対向する前記第１の発光素子２３との間に配置された第１の偏光素子２６と、前記導光手段１６の前記画素行１３ａ，１３ｂの他端方向の第２の入射部１８とこの第２の入射部１８に対向する前記第２の発光素子２４との間に配置された第２の偏光素子２７と、前記導光手段１６の前記液晶表示素子１に対向する側に配置され、前記第１の入射部１７から入射し、前記反射面２１により反射された光を、前記液晶表示素子１の法線方向に対して前記画素行１３ａ，１３ｂの一端方向に傾いた方向に出射させ、前記第２の入射部１８から入射し、前記反射面２１により反射された光を、前記液晶表示素子１の法線方向に対して前記画素行１３ａ，１３ｂの他端方向に傾いた方向に出射させ、前記画素行１３ａ，１３ｂに対して直交する方向の第３の入射部１９から入射し、前記反射面２１により反射された光を、前記液晶表示素子１の法線方向に出射させる出射方向制御手段２８とからなっている。
【００３４】
前記導光手段１６は、例えば、前記液晶表示素子１の画面エリア１１の全域に対応する面積を有する矩形板状の透明部材からなり、その周囲の端面のうちの前記液晶表示素子１の画素行１３ａ，１３ｂの一端方向の端面、例えば図１及び図３において右方向の端面に第１の入射部（以下、第１の入射端面という）１７が形成され、前記画素行１３ａ，１３ｂの他端方向の端面、つまり図１及び図３において左方向の端面に第２の入射部（以下、第２の入射端面という）１８が形成され、前記画素行１３ａ，１３ｂに対して直交する方向の２つの端部の一方、例えば図１及び図３において上方向の端面に第３の入射部（以下、第３の入射端面という）１９が形成され、前記液晶表示素子１と対向する板面に、前記各入射端面１７，１８，１９から入射した光の出射面２０が形成され、反対側の板面に、前記各入射端面１７，１８，１９から入射した光を前記液晶表示素子１に向けて反射して前記出射面２０から出射させる反射面２１が形成された導光板からなっている。以下、この導光手段１６を導光板という。
【００３５】
なお、前記導光板１６の反射面２１は、前記各入射端面１７，１８，１９から入射した光を、前記反射面２１と外気である空気層との界面で全反射する内面反射面であり、この反射面２１の背後には、前記導光板１６に前記各入射端面１７，１８，１９から入射した光のうちの前記反射面２１を透過した漏れ光を導光板１６に戻すための反射板２２が配置されている。
【００３６】
前記第１、第２、第３の発光素子２３，２４，２５はそれぞれ、例えば複数のＬＥＤ（発光ダイオード）を配列させて設けたＬＥＤアレイからなっており、赤、青、緑の各色の光を発するＬＥＤからの各色の光の混合による実質的な白色光を、或いは複数のＬＥＤからの出射光（例えば青色光）を蛍光体層により実質的に白色の光に変えた白色光を、前記導光板１６の入射端面１７，１８，１９に向けて出射する。
【００３７】
また、前記第１と第２の偏光素子２６，２７はそれぞれ一方の方向に透過軸２６ａ，２７ａを有する偏光板からなっており、前記導光板１６の第１の入射端面１７と前記第１の発光素子２３との間の第１の偏光素子２６は、その第１の偏光素子２６を透過して入射面１７から前記導光板に入射し、前記反射面２１によって反射されて前記出射面２０から出射した直線偏光の偏光面が、前記液晶表示素子１の後面の偏光板１０の透過軸１０ａに対して一方の方向に実質的に４５°回転させた方向と平行になるようにその透過軸２６ａを向けて配置され、前記導光板１６の第２の入射端面１８と前記第２の発光素子２４との間の第２の偏光素子２７は、その透過軸２７ａを、前記第１の偏光素子２６の透過軸２６ａに対して実質的に直交する方向に向けて配置されている。
【００３８】
なお、この実施例の液晶表示装置は、前記液晶表示素子１の前面の偏光板９を、その透過軸９ａを画面の左右方向に対して観察側から見て右回り方向に実質的に４５°の角度方向に向けて配置し、後面の偏光板１０を、その透過軸１０ａを前記前面の偏光板９の透過軸９ａと実質的に直交する方向、つまり前記画面の左右方向に対して観察側から見て左回り方向に実質的に４５°の角度方向に向けて配置したものであり、前記第１の偏光素子２６は、その透過軸２６ａを、前記液晶表示素子１の法線方向、つまり前記導光板１６の第１の入射端面１７の幅方向（導光板１６の板厚方向、すなわち導光板の出射面の法線方向）と平行な方向に向けて配置され、前記第２の偏光素子２７は、その透過軸２７ａを、前記液晶表示素子１の画面の上下方向、つまり前記導光板１６の第２の入射端面１８の長さ方向と平行な方向に向けて配置されている。
【００３９】
また、前記出射方向制御手段２８は、透明フィルム２９の前記導光板１６の出射面２０に対向する面に、前記導光板１６に向かって突出し、且つ、前記導光板１６の第１の入射端面１７の方向に向いた第１の入射面３１と、前記導光板１６の第２の入射端面１８の方向に向いた第２の入射面３２と、前記導光板１６の第３の入射端面１９の方向に向いた第３の入射面３３とを有し、前記第１の入射部から入射し、前記反射面２１により反射されて前記第１の入射面３１から入射した光を、前記第１の入射面３１により屈折させて前記透明フィルム２９の他方の面から前記液晶表示素子１の法線方向に対して前記画素行１３ａ，１３ｂの一端方向に傾いた方向に出射させ、前記第２の入射端面１８から入射し、前記反射面２１により反射されて前記第２の入射面３２から入射した光を、前記第２の入射面３２により屈折させて前記透明フィルム２９の他方の面から前記液晶表示素子１の法線方向に対して前記画素行１３ａ，１３ｂの他端方向に傾いた方向に出射させ、前記第３の入射端面１９から入射し、前記反射面２１により反射されて前記第３の入射面３３から入射した光を、前記第３の入射面３３により屈折させて前記透明フィルム２９の他方の面から前記液晶表示素子１の法線方向に出射させる複数のプリズム部３０が密なピッチで配列させて形成されたプリズムシートからなっている。以下、この出射方向制御手段２８をプリズムシートという。
【００４０】
なお、図１では前記プリズムシート２８の複数のプリズム部３０を大きく誇張しているが、前記プリズム部３０は、前記液晶表示素子１の１つの画素１２の面積と同程度か、或いはそれよりも小さい平面積を有する形状に形成され、前記液晶表示素子１の画素ピッチと同程度か、或いはそれよりも小さいピッチで配列されている。
【００４１】
図６は前記プリズムシート２８の一部分の拡大斜視図、図７及び図８は図６のVII−VII線及びVIII−VIII線に沿うハッチングを省略した断面図であり、このプリズムシート２８の複数のプリズム部３０は、前記透明フィルム２９側の基部の断面形状が、前記導光板１６の第１と第２の入射端面１７，１８にそれぞれ対応する２つの辺の長さが前記導光板１６の第３の入射端面１９に対応する辺の長さよりも短い長方形状に形成され、前記導光板１６側の頂部の断面形状が、前記第１と第２と第３の各入射端面１７，１８，１９にそれぞれ対応する各辺の長さが前記長方形状の短辺の長さよりも短い正方形状に形成され、さらに、前記頂部の断面形状の中心が、前記透明フィルム２９の法線方向と平行で且つ前記基部の断面形状の中心を通る線上に位置し、さらに、前記頂部が、前記透明フィルム２９面と平行な平坦面３４に形成された、実質的に裁頭四角錐状の凸部からなっている。
【００４２】
すなわち、前記プリズムシート２８の複数のプリズム部３０の第１、第２、第３の各入射面３１，３２，３３は、前記透明フィルム２９側から前記導光板１６側に向かって前記プリズム部３０の中心方向に傾いた傾斜面からなっており、これらの入射面３１，３２，３３の前記透明フィルム２９面に対する傾斜角は、前記第１の入射面３１の傾斜角をθ１、前記第２の入射面３２の傾斜角をθ２、前記第３の入射面３３の傾斜角をθ３としたとき、θ１＝θ２＜θ３の関係に設定されている。
【００４３】
そして、前記プリズムシート２８の複数のプリズム部３０は、前記液晶表示素子１の画素行１３ａ，１３ｂと平行な方向に、前記液晶表示素子１の行方向の画素ピッチと同程度か、或いはそれよりも小さいピッチＬ１で配列され、前記画素行１３ａ，１３ｂと直交する方向に、前記画素行１３ａ，１３ｂと平行な方向の配列ピッチＬ１と実質的に同じピッチ（液晶表示素子１の列方向の画素ピッチと同程度か、或いはそれよりも小さいピッチ）Ｌ２で配列させて形成されている。
【００４４】
つまり、前記液晶表示素子１の画素行１３ａ，１３ｂと平行な方向に配列された複数のプリズム部３０は連続的に形成され、前記画素行１３ａ，１３ｂと直交する方向に配列された複数のプリズム部３０は、隣合うプリズム部３０，３０の間に間隔を設けて形成されている。
【００４５】
そして、前記プリズムシート２８は、前記導光板１６の出射側（液晶表示素子１に対向する側）に、前記複数のプリズム部３０の頂部の平坦面３４を前記導光板１６の出射面２０に当接させるか、或いは近接させて配置されている。
【００４６】
前記面光源１５は、前記第１と第２の発光素子２３，２４の点灯により、前記液晶表示素子１の画面エリア１１に向けて、前記液晶表示素子１の後面の偏光板１０の透過軸１０ａに対して一方の方向に実質的に４５°傾いた偏光面をもった直線偏光からなり、前記画素行１３ａ，１３ｂと平行で且つ前記液晶表示素子１の法線を含む面上の前記液晶表示素子１の法線方向に対して前記画素行１３ａ，１３ｂの一端方向に予め定めた角度傾いた方向に光強度のピークが存在する指向性をもった第１の照明光３５と、前記第１の照明光３５の偏光面に対して実質的に直交する偏光面をもった直線偏光からなり、前記画素行１３ａ，１３ｂと平行で、前記液晶表示素子１の法線を含む面上の前記液晶表示素子１の法線方向に対して前記画素行１３ａ，１３ｂの他端方向に予め定めた角度傾いた方向に光強度のピークをもった指向性を有する第２の照明光３６とを照射する。
【００４７】
すなわち、前記第１と第２の発光素子２３，２４の点灯時は、前記第１の発光素子２３から出射して前記第１の偏光素子２６を透過した光、つまり前記第１の偏光素子２６の透過軸２６ａと実質的に平行な偏光面をもった直線偏光からなる第１の照明光３５が、前記導光板１６に前記第１の入射端面１７から入射し、前記第２の発光素子２４から出射して前記第２の偏光素子２７を透過した光、つまり前記第２の偏光素子２７の透過軸２７ａと実質的に平行な偏光面をもった直線偏光からなる第２の照明光３６が、前記導光板１６に前記第２の入射端面１８から入射する。
【００４８】
前記導光板１６に前記第１と第２の入射端面１７，１８から入射した第１と第２の照明光３５，３６はそれぞれ、図４に矢線で示したように、前記導光板１６内を、この導光板１６の出射面２０及び反射面２１で内面反射されながら前記液晶表示素子１の画素行１３ａ，１３ｂと平行な方向に導かれ、前記反射面２１により前記出射面２０の内面反射角よりも小さい角度方向に反射された光が前記出射面２０から出射する。
【００４９】
この第１と第２の照明光３５，３６のうち、前記導光板１６に図４において右側の第１の入射端面１７から入射して前記出射面２０から出射した第１の照明光３５は、前記液晶表示素子１の法線方向に対して前記第１の入射端面１７とは反対方向、つまり図４において左方向に傾いた方向に出射し、前記導光板１６に図４において左側の入射端面１８から入射して前記出射面２０から出射した第２の照明光３６は、前記液晶表示素子１の法線方向に対して前記第２の入射端面１８とは反対方向、つまり図４において右方向に傾いた方向に出射する。
【００５０】
そして、前記導光板１６の出射面２０から出射した前記第１の照明光３５は、前記プリズムシート２８の複数のプリズム部３０に、これらのプリズム部３０の第１の入射面３１から、前記液晶表示素子１の法線方向に対する角度が小さくなる方向に屈折されて入射し、前記プリズムシート２８の反対面（透明フィルム２９の他方の面）から、前記液晶表示素子１の法線方向に対して前記画素行１３ａ，１３ｂの左端方向に傾いた方向に出射し、前記導光板１６の出射面２０から出射した前記第２の照明光３６は、前記プリズムシート２８の複数のプリズム部３０に、これらのプリズム部３０の第２の入射面３２から、前記液晶表示素子１の法線方向に対する角度が小さくなる方向に屈折されて入射し、前記プリズムシート２８の反対面から、前記液晶表示素子１の法線方向に対して前記画素行１３ａ，１３ｂの右端方向に傾いた方向に出射する。
【００５１】
なお、前記プリズムシート２８の複数のプリズム部３０の第１と第２の入射面３１，３２の傾斜角θ１，θ２はそれぞれ、前記第１及び第２の照明光３５，３６を、前記プリズムシート２８の反対面から前記液晶表示素子１の法線方向に対して例えば５０°傾いた方向を中心とする方向に出射させるように設定されている。
【００５２】
図９及び図１０は前記面光源１５から前記液晶表示素子１に向けて照射される前記第１及び第２の照明光３５，３６の偏光分布図であり、各図において、複数の同心円は、前記照明光３５，３６の中心からの傾き角度線である。
【００５３】
図９のように、前記第１の照明光３５は、前記第１の偏光素子２６の透過軸２６ａを前記導光板１６の出射面２０に展開した方向、つまり前記液晶表示素子１の画素行１３ａ，１３ｂと実質的に平行な偏光面をもった直線偏光Ｘであり、図１０のように、第２の照明光３６は、前記第２の偏光素子２７の透過軸２７ａを前記液晶表示素子１の画素行１３ａ，１３ｂと実質的に直交する偏光面をもった直線偏光Ｙである。
【００５４】
また、図１１は、前記面光源１５から前記液晶表示素子１に向けて照射される前記第１及び第２の照明光３５，３６の前記画素行１３ａ，１３ｂと平行な方向における強度分布図である。なお、図１１において、正の角度は、前記液晶表示素子１の法線方向（０°の方向）に対して画面右方向の角度、負の角度は、前記法線方向に対して前記画面の左方向の角度である。
【００５５】
図１１のように、前記直線偏光Ｘからなる第１の照明光３５は、前記液晶表示素子１の画素行１３ａ，１３ｂと平行で且つ前記液晶表示素子１の法線を含む面上の前記液晶表示素子１の法線方向（図１１において０°の方向）に対して前記画素行１３ａ，１３ｂの左端方向に予め定めた角度傾いた方向に光強度のピークをもち、前記画素行１３ａ，１３ｂと平行な方向における光の広がり角が約−３０°〜−６５°の範囲の指向性を有しており、前記直線偏光Ｙからなる第２の照明光３５は、図１１を９０°回転させた指向性、つまり、前記画素行１３ａ，１３ｂと平行で且つ前記液晶表示素子１の法線を含む面上の前記液晶表示素子１の法線方向に対して前記画素行１３ａ，１３ｂの右端方向に実質的に５０°傾いた方向に光強度のピークをもち、前記画素行１３ａ，１３ｂと平行な方向における光の広がり角が約３０°〜６５°の範囲の指向性を有している。
【００５６】
また、前記面光源１５は、前記第３の発光素子２５の点灯により、前記液晶表示素子１の画面エリア１１に向けて、非偏光の光からなり、前記液晶表示素子１の法線方向に光強度のピークをもった指向性を有する第３の照明光３７を照射する。
【００５７】
すなわち、前記第３の発光素子２５の点灯時は、この第３の発光素子２５から出射した第３の照明光３７が、偏光されること無く前記導光板１６に前記第３の入射端面１９から入射し、図５に矢線で示したように、前記導光板１６内を、この導光板１６の出射面２０及び反射面２１で内面反射されながら前記液晶表示素子１の画素行１３ａ，１３ｂと直交する方向に導かれ、前記反射面２１により前記出射面２０の内面反射角よりも小さい角度方向に反射された光が前記出射面２０から出射する。
【００５８】
そして、前記導光板１６の出射面２０から出射した前記第３の照明光３７は、前記プリズムシート２８の複数のプリズム部３０に、これらのプリズム部３０の第３の入射面３３から、前記液晶表示素子１の法線方向に対する角度が小さくなる方向に屈折されて入射し、前記プリズムシート２８の反対面（透明フィルム２９の他方の面）から出射する。
【００５９】
前記プリズムシート２８の複数のプリズム部３０の第３の入射面３３の傾斜角θ３は、前記第３の照明光３７を、前記プリズムシート２８の反対面から前記液晶表示素子１の法線方向を中心とする方向に出射させるように設定されており、したがって、前記面光源１５から液晶表示素子１に向けて照射される非偏光の光からなる第３の照明光３７は、前記液晶表示素子１の法線方向に光強度のピークをもった指向性を有する光である。
【００６０】
なお、この第３の照明光３７の強度分布は図示しないが、この第３の照明光３７は、前記画素行１３ａ，１３ｂと直交する方向における光の広がり角が、例えば前記液晶表示素子１の法線方向を中心として±３０°〜４０°の範囲の指向性を有している。
【００６１】
このように、前記面光源１５は、前記液晶表示素子１の画素行１３ａ，１３ｂの一端方向及び他端方向の２つの端面と、前記画素行１３ａ，１３ｂに対して直交する方向の２つの端面の一方とにそれぞれ、前記液晶表示素子１の法線方向に対して実質的に直交する方向から光を入射させるための入射端面１７，１８，１９が形成され、前記液晶表示素子１の画面エリア１１に対応する領域に、前記各入射部１７，１８，１９から入射した光を前記液晶表示素子１に向けて反射する反射面２１が形成された導光板１６と、前記導光板１６の各入射端面１７，１８，１９にそれぞれ対向させて配置され、前記導光板１６に向けて非偏光の光を発する第１、第２、第３の発光素子２３，２４，２５と、前記導光板１６の各入射端面１７，１８，１９のうちの前記画素行１３ａ，１３ｂの一端方向の第１の入射端面１７とこの第１の入射端面１７に対向する前記第１の発光素子２３との間に、透過軸２６ａを、その第１の偏光素子２６を透過して入射面１７から前記導光板に入射し、前記反射面２１によって反射されて前記出射面２０から出射した直線偏光の偏光面が、前記液晶表示素子１の後面の偏光板１０の透過軸１０ａに対して一方の方向に実質的に４５°回転させた方向と平行になるように配置された第１の偏光素子２６と、前記導光板１６の前記画素行１３ａ，１３ｂの他端方向の第２の入射端面１８とこの第２の入射端面１８に対向する前記第２の発光素子２４との間に、透過軸２７ａを、前記第１の偏光素子２６の透過軸２６ａに対して実質的に直交する方向に向けて配置された第２の偏光素子２７と、前記導光板１６の前記液晶表示素子１に対向する側に配置され、前記第１の入射端面１７から入射し、前記反射面２１により反射された光を、前記液晶表示素子１の法線方向に対して前記画素行１３ａ，１３ｂの一端方向に傾いた方向に出射させ、前記第２の入射端面１８から入射し、前記反射面２１により反射された光を、前記液晶表示素子１の法線方向に対して前記画素行１３ａ，１３ｂの他端方向に傾いた方向に出射させ、前記画素行１３ａ，１３ｂに対して直交する方向の第３の入射端面１９から入射し、前記反射面２１により反射された光を、前記液晶表示示素子１の法線方向に出射させるプリズムシート２８とからなっているため、前記液晶表示素子１の画面エリア１１に向けて、前記液晶表示素子１の後面の偏光板１０の透過軸１０ａに対して一方の方向に実質的に４５°傾いた偏光面をもった直線偏光からなり、前記液晶表示素子１の法線方向に対して前記画素行１３ａ，１３ｂの一端方向に予め定めた角度傾いた方向に光強度のピークをもった指向性を有する第１の照明光３５と、前記第１の照明光３５の偏光面に対して実質的に直交する偏光面をもった直線偏光からなり、前記液晶表示素子１の法線方向に対して前記画素行１３ａ，１３ｂの他端方向に予め定めた角度傾いた方向に光強度のピークをもった指向性を有する第２の照明光３６と、非偏光の光からなり、前記液晶表示素子１の法線方向に光強度のピークをもった指向性を有する第３の照明光３７とを照射することができる。
【００６２】
また、この面光源１５は、前記プリズムシート２８として、透明フィルム２９の前記導光板１６に対向する面に、前記導光板１６に向かって突出し、且つ、前記導光板１６の第１の入射端面１７の方向に向いた第１の入射面３１と、前記導光板１６の第２の入射端面１８の方向に向いた第２の入射面３２と、前記導光板１６の第３の入射端面１９の方向に向いた第３の入射面３３とを有し、前記第１の入射端面１７から入射し、前記反射面２１により反射されて前記第１の入射面３１から入射した光を、前記第１の入射面３１により屈折させて前記透明フィルム２９の他方の面から前記液晶表示素子１の法線方向に対して前記画素行１３ａ，１３ｂの一端方向に傾いた方向に出射させ、前記第２の入射端面１８から入射し、前記反射面２１により反射されて前記第２の入射面３２から入射した光を、前記第２の入射面３２により屈折させて前記透明フィルム２９の他方の面から前記液晶表示素子１の法線方向に対して前記画素行１３ａ，１３ｂの他端方向に傾いた方向に出射させ、前記第３の入射端面１９から入射し、前記反射面２１により反射されて前記第３の入射面３３から入射した光を、前記第３の入射面３３により屈折させて前記透明フィルム２９の他方の面から前記液晶表示素子１の法線方向に出射させる複数のプリズム部３０が密なピッチで配列させて形成された構成のものを備えているため、前記液晶表示素子１の画面エリア１１に向けて、前記第１の照明光３５と、前記第２の照明光３６と、前記第３の照明光３７とを効率良く照射することができる。
【００６３】
さらに、前記プリズムシート２８は、その複数のプリズム部３０の第１、第２、第３の各入射面３１，３２，３３を、前記透明フィルム２９側から前記導光板１６側に向かって前記プリズム部３０の中心方向に傾いた傾斜面に形成し、これらの入射面３１，３２，３３の前記透明フィルム２９面に対する傾斜角を、前記第１の入射面３１の傾斜角をθ１、前記第２の入射面３２の傾斜角をθ２、前記第３の入射面３３の傾斜角をθ３としたとき、θ１＝θ２＜θ３の関係に設定したものであるため、前記液晶表示素子１の法線方向に対して前記画素行１３ａ，１３ｂの一端方向に予め定めた角度傾いた方向に光強度のピークをもった指向性を有する第１の照明光３５と、前記液晶表示素子１の法線方向に対して前記画素行１３ａ，１３ｂの他端方向に予め定めた角度傾いた方向に光強度のピークをもった指向性を有する第２の照明光３６と、前記液晶表示素子１の法線方向に光強度のピークをもった指向性を有する第３の照明光３７とを照射することができる。
【００６４】
さらにまた、前記プリズムシート２８は、その複数のプリズム部３０を、前記透明フィルム２９側の基部の断面形状が、前記第１と第２の入射面３１，３２にそれぞれ対応する２つの辺の長さが前記第３の入射面３３に対応する辺の長さよりも短い長方形状に形成され、前記導光板１６側の頂部の断面形状が、前記第１と第２と第３の各入射面３１，３２，３３にそれぞれ対応する各辺の長さが前記長方形状の短辺の長さよりも短い正方形状に形成された実質的に四角錐状の凸部に形成したものであるため、前記導光板１６の第１の入射端面１７から入射して前記反射面２１により反射された光を、前記液晶表示素子１の法線方向に対して前記画素行１３ａ，１３ｂの一端方向に傾いた方向に出射させ、前記導光板１６の第２の入射端面１８から入射して前記反射面２１により反射された光を、前記液晶表示素子１の法線方向に対して前記画素行１３ａ，１３ｂの他端方向に傾いた方向に出射させ、前記導光板１６の第３の入射端面１９から入射して前記反射面２１により反射された光を、前記液晶表示素子１の法線方向に出射させることができる。
【００６５】
次に、前記面光源１５と液晶表示素子１との間に配置された偏光制御素子３８について説明すると、この偏光制御素子３８は、前記液晶表示素子１の複数の画素行１３ａ，１３ｂのうちの１行置きの各画素行、つまり奇数番の各画素行１３ａにそれぞれ対応する複数の領域に、前記面光源１５から照射された直線偏光からなる前記第１と第２の照明光３５，３６のうちの前記第１の照明光３６の偏光面を前記液晶表示素子１の後面の偏光板１０の透過軸１０ａと実質的に平行な方向に回転させ、前記第２の照明光３６の偏光面を前記液晶表示素子１の後面の偏光板１０の透過軸１０ａと実質的に直交する方向に回転させる第１の偏光制御部４０がそれぞれ形成され、前記液晶表示素子１の偶数番の各画素行１３ｂにそれぞれ対応する複数の領域に、前記面光源１５から照射された前記第１と第２の照明光３５，３６のうちの前記第１の照明光３５の偏光面を前記液晶表示素子１の後面の偏光板１０の透過軸１０ａと実質的に直交する方向に回転させ、前記第２の照明光３６の偏光面を前記液晶表示素子１の後面の偏光板１０の透過軸１０ａと実質的に平行な方向に回転させる第２の偏光制御部４１がそれぞれ形成された光学素子からなっている。
【００６６】
この偏光制御素子３８は、光学的に等方性な透明フィルム３９の一方の面に、透過光の常光と異常光との間に１／２波長の位相差を与える（入射した偏光を遅相軸に対する角度の２倍の角度で回転させる）λ／２位相差膜からなる複数の第１の偏光制御部４０と複数の第２の偏光制御部４１とを交互に並べて形成したものであり、前記第１の偏光制御部（以下、第１のλ／２位相差膜という）４０は、前記面光源１５から照射された前記第１と第２の照明光３５，３６のうちの前記第１の照明光３５の偏光面に対して、一方の方向、例えば図１において左回り方向に実質的に２２．５°、前記第２の照明光３６の偏光面に対して前記一方の方向とは反対方向、つまり図１において右回り方向に実質的に６７．５°の角度方向に遅相軸４０ａを有し、前記第２の偏光制御部（以下、第２のλ／２位相差膜という）４１は、前記面光源１５から照射された前記第１と第２の照明光３５，３６のうちの前記第１の照明光３５の偏光面に対して前記一方の方向とは反対方向（図１において右回り方向）に実質的に２２．５°、前記第２の照明光３６の偏光面に対して前記一方の方向（図１において左回り方向）に実質的に６７．５°の角度方向に遅相軸４１ａを有している。
【００６７】
また、前記液晶表示素子１と面光源１５の駆動手段４２は、前記面光源１５から前記第１と第２の照明光３５，３６を照射させ、前記液晶表示素子１の前記奇数番の各画素行１３ａの複数の画素１２に、前記液晶表示素子１の法線方向に対して前記画素行１３ａの一端方向（この実施例では左端方向）に傾いた方向から観察させる第１の画像を表示するための第１の画像データを書込み、前記偶数番の各画素行１３ｂの複数の画素１２に、前記液晶表示素子１の法線方向に対して前記画素行１３ｂの他端方向（この実施例では右端方向）に傾いた方向から観察させる第２の画像を表示するための第２の画像データを書込む２画像表示駆動と、前記面光源１５から前記第３の照明光３７を照射させ、前記液晶表示素子１の全ての画素行１３ａ，１３ｂの複数の画素１２に、前記液晶表示素子１の法線方向から観察させる第３の画像を表示するための第３の画像データを書込む１画像表示駆動とを行う駆動回路からなっている。
【００６８】
図１２は前記駆動手段４２のブロック回路図であり、この駆動手段４２は、図示しない外部回路から供給された画像データを前記液晶表示素子１に搭載されたドライバ素子１４に供給するデータ出力部４３と、前記面光源１５の第１、第２、第３の各発光素子２３，２４，２５を点灯させる光源駆動部４４と、外部から供給される表示選択信号に応じて前記データ出力部４３とドライバ素子１４と光源駆動部４４を制御する駆動制御部４５とからなっている。
【００６９】
この液晶表示装置は、例えば、ナビゲーション画像とビデオ画像とを運転席方向と助手席方向とに表示するカーナビゲーション用表示装置であり、前記データ出力部４３には、図示しない外部回路から、ナビゲーション画像とビデオ画像の一方の前記液晶表示素子１の奇数番の各画素行１３ａに表示させるための第１の画像データと、前記ナビゲーション画像とビデオ画像の他方を前記液晶表示素子１の偶数番の各画素行１３ｂに表示させるための第２の画像データと、ナビゲーション画像またはビデオ画像のいずれか一方、或いは他の画像を前記液晶表示素子１の全ての画素行１３ａ，１３ｂに表示させるための第３の画像データとが供給される。
【００７０】
また、前記駆動制御部４５に供給される表示選択信号は、前記ナビゲーション画像とビデオ画像とを運転席方向と助手席方向とに表示する２画像表示と、前記第３の画像データに対応した１つの画像を表示する１画像表示との選択信号である。
【００７１】
そして、前記駆動制御部４５は、前記２画像表示が選択されたときに、前記光源駆動部４４に、前記面光源１５の第１と第２の発光素子２３，２４を点灯させる信号を出力し、前記データ出力部４３から、前記第１の画像データと第２の画像データとを前記ドライバ素子１４に出力させ、前記ドライバ素子１４に、前記液晶表示素子１の奇数番の各画素行１３ａの複数の画素１２に前記第１の画像データを書込み、偶数数番の各画素行１３ｂの複数の画素１２に前記第２の画像データを書込む表示駆動を行わせ、前記１画像表示が選択されたときに、前記光源駆動部４４に、前記面光源１５の第３の発光素子２５を点灯させる信号を出力し、前記データ出力部４３から、前記第３の画像データを前記ドライバ素子１４に出力させ、前記ドライバ素子１４に、前記液晶表示素子１の全ての各画素行１３ａ、１３ｂの複数の画素１２に前記第３の画像データを書込む表示駆動を行わせる。
【００７２】
また、前記駆動手段４２は、前記１画像表示駆動時に、外部から前記駆動制御部４５に供給される広視野選択信号（図示せず）に応じて、前記面光源１５から前記第３の照明光３７と前記第１と第２の照明光３５，３６とを照射させる手段をさらに備えている。
【００７３】
すなわち、この液晶表示装置は、前記面光源１５から前記第１と第２の照明光３５，３６を照射させ、前記液晶表示素子１の奇数番の各画素行１３ａの複数の画素１２に前記第１の画像データを書込み、前記偶数番の各画素行１３ｂの複数の画素１２に前記第２の画像データを書込むことにより、前記液晶表示素子１の法線方向に対して前記画素行１３ａ，１３ｂの一端方向に傾いた方向に前記第１の画像データに対応した第１の画像を表示し、前記画素行１３ａ，１３ｂの他端方向に傾いた方向に前記第２の画像データに対応した第２の画像を表示する２画像表示を行い、前記面光源１５から前記第３の照明光３７を照射させ、前記液晶表示素子１の全ての画素行１３ａ，１３ｂの複数の画素１２に、前記第３の画像データを書込むことにより、前記表示素子の法線方向に前記第３の画像データに対応した第３の画像を表示する１画像表示を行う。
【００７４】
なお、前記２画像表示において、前記液晶表示素子１の各画素行１３ａ，１３ｂの複数の画素１２への第１と第２の画像データの書込みは、前記液晶表示素子１の奇数番と偶数番の画素行１３ａ，１３ｂを１行ずつ交互に選択して各行の第１の画像データと第２の画像データを交互に書込む方法で行っても、前記液晶表示素子１の奇数番の各画素行１３ａを順次選択して奇数番の全ての行の第１の画像データを書込み、次いで偶数番の各画素行１３ｂを順次選択して偶数番の全ての行の第２の画像データを書込む方法で行ってもよい。
【００７５】
図１３は前記液晶表示装置の前記２画像表示のときの出射光線図であり、このときは、前記面光源１５の第１と第２の発光素子２３，２４が点灯され、前記面光源１５から、前記液晶表示素子１の画素行１３ａ，１３ｂと実質的に平行な偏光面をもった直線偏光Ｘからなり、前記液晶表示素子１の法線方向に対して前記画素行１３ａ，１３ｂの左端方向に予め定めた角度傾いた方向に光強度のピークをもった指向性を有する第１の照明光３５と、前記第１の照明光３５の偏光面に対して実質的に直交する偏光面、つまり前記画素行１３ａ，１３ｂと実質的に直交する偏光面をもった直線偏光Ｙからなり、前記液晶表示素子１の法線方向に対して前記画素行１３ａ，１３ｂの右端方向に予め定めた角度傾いた方向に光強度のピークをもった指向性を有する第２の照明光３６とが照射される。
【００７６】
前記面光源１５から照射された前記第１と第２の照明光３５，３６は、前記面光源１５と前記液晶表示素子１との間に配置された前記偏光制御素子３８に入射する。
【００７７】
そして、前記面光源１５から照射された前記第１の照明光３５は、前記液晶表示素子１の画素行１３ａ，１３ｂと実質的に平行な偏光面をもった直線偏光Ｘであるため、この第１の照明光３５のうちの前記偏光制御素子３８の第１のλ／２位相差膜４０に入射した光が、前記第１のλ／２位相差膜４０により図１３において左回り方向に実質的に４５°回転され、前記液晶表示素子１の後面の偏光板１０の透過軸１０ａと実質的に平行な偏光面をもった直線偏光Ｐからなる照明光３５ａとなって前記液晶表示素子１に照射され、前記第１の照明光３５のうちの前記偏光制御素子３８の第２のλ／２位相差膜４１に入射した光が、この第２のλ／２位相差膜４１により図１３において右回り方向に実質的に４５°回転され、前記液晶表示素子１の後面の偏光板１０の透過軸１０ａと実質的に直交する偏光面をもった直線偏光Ｓからなる照明光３５ｂとなって前記液晶表示素子１に照射される。
【００７８】
そのため、前記第１の照明光３５のうちの前記偏光制御素子３８の第１のλ／２位相差膜４０により偏光面を回転されて前記直線偏光Ｐとなった照明光３５ａが、前記液晶表示素子１の後面の偏光板１０を透過して、前記液晶表示素子１の複数の画素行１３ａ，１３ｂのうちの前記偏光制御素子３８の第１のλ／２位相差膜４０に対応する奇数番の画素行１３ａの複数の画素１２に入射し、前記偏光制御素子３８の第２のλ／２位相差膜４０により偏光面を回転されて前記直線偏光Ｓとなった照明光３５ｂが、前記液晶表示素子１の後面の偏光板１０により吸収される。
【００７９】
一方、前記面光源１５から照射された前記第２の照明光３６は、前記液晶表示素子１の画素行１３ａ，１３ｂと実質的に直交する偏光面をもった直線偏光Ｙであるため、この第２の照明光３６のうちの前記偏光制御素子３８の第１のλ／２位相差膜４０に入射した光が、この第１のλ／２位相差膜４０により図１３において右回り方向に実質的に１３５°回転され、前記液晶表示素子１の後面の偏光板１０の透過軸１０ａと実質的に直交する偏光面をもった直線偏光Ｓからなる照明光３６ａとなって前記液晶表示素子１に照射され、前記第２の照明光３６のうちの前記偏光制御素子３８の第２のλ／２位相差膜４１に入射した光が、この第２のλ／２位相差膜４１により図１３において左回り方向に実質的に４５°回転され、前記液晶表示素子１の後面の偏光板１０の透過軸１０ａと実質的に平行な偏光面をもった直線偏光Ｐからなる照明光３５ｂとなって前記液晶表示素子１に照射される。
【００８０】
そのため、前記第２の照明光３６のうちの前記偏光制御素子３８の第２のλ／２位相差膜４１により偏光面を回転されて前記直線偏光Ｐとなった照明光３６ｂが、前記液晶表示素子１の後面の偏光板１０を透過して、前記液晶表示素子１の複数の画素行１３ａ，１３ｂのうちの前記偏光制御素子３８の第２のλ／２位相差膜４１に対応する偶数番の画素行１３ｂの複数の画素１２に入射し、前記偏光制御素子３８の第２のλ／２位相差膜４１により偏光面を回転されて前記直線偏光Ｓとなった照明光３６ａが、前記液晶表示素子１の後面の偏光板１０により吸収される。
【００８１】
すなわち、前記偏光制御素子３８の複数の第１のλ／２位相差膜４０は前記液晶表示素子１の奇数番の各画素行１３ａにそれぞれ対応し、前記偏光制御素子３８の複数の第２のλ／２位相差膜４１は前記液晶表示素子１の偶数番の画素行１３ｂにそれぞれ対応しており、また、前記面光源１５から照射された前記第１と第２の照明光３５，３６はそれぞれ、前記液晶表示素子１の画素行１３ａ，１３ｂと平行で且つ前記表示素子の法線を含む面上に光強度のピークをもった指向性光であるため、前記液晶表示素子１の奇数番の各画素行１３ａの複数の画素１２には、前記第１の照明光３５のうちの前記偏光制御素子３８の第１のλ／２位相差膜４０により偏光面を回転されて前記直線偏光Ｐとなった照明光３５ａだけが入射し、前記液晶表示素子１の偶数番の各画素行１３ｂの複数の画素１２には、前記第２の照明光３６のうちの前記偏光制御素子３８の第２のλ／２位相差膜４１により偏光面を回転されて前記直線偏光Ｐとなった照明光３５ａだけが入射する。
【００８２】
そして、前記液晶表示素子１の奇数番の各画素行１３ａの複数の画素１２に入射した前記直線偏光Ｐからなる第１の照明光３５ａは、前記液晶表示素子１の法線方向に対して前記画素行１３ａ，１３ｂの左端方向に予め定めた角度傾いた方向に光強度のピークをもった指向性を有し、前記液晶表示素子１の偶数番の各画素行１３ｂの複数の画素１２に入射した前記直線偏光Ｐからなる第２の照明光３６ｂは、前記液晶表示素子１の法線方向に対して前記画素行１３ａ，１３ｂの右端方向に予め定めた角度傾いた方向に光強度のピークをもった指向性を有しているため、前記液晶表示素子１の奇数番の各画素行１３ａから、これらの各画素行１３ａの複数の画素１２に書込まれた第１の画像データに対応した第１の画像光（各画素１２に入射した第１の照明光３５ａのうちの前記画素１２を透過した光）３５ｃが、前記液晶表示素子１の法線方向に対して前記画素行１３ａ，１３ｂの左端方向に傾いた方向に出射し、前記液晶表示素子１の偶数番の各画素行１３ｂから、これらの各画素行１３ｂの複数の画素１２に書込まれた第２の画像データに対応した第２の画像光（各画素１２に入射した第２の照明光３６ｂのうちの前記画素１２を透過した光）３６ｃが、前記液晶表示素子１の法線方向に対して前記画素行１３ａ，１３ｂの右端方向に傾いた方向に出射する。
【００８３】
また、図１４は前記液晶表示装置の前記１画像表示のときの出射光線図であり、このときは、前記面光源１５の第３の発光素子２５が点灯され、前記面光源１５から、非偏光の光からなり、前記液晶表示素子１の法線方向に光強度のピークをもった指向性を有する第３の照明光３７が照射される。
【００８４】
この第３の照明光３７は、非偏光の光であるため、前記偏光制御素子３８の第１及び第１のλ／２位相差膜４０，４１の作用を受けることなく透過して前記液晶表示素子１に照射され、この第３の照明光３７のうちの前記液晶表示素子１の後面の偏光板１０の透過軸１０ａと平行な直線偏光成分の光が前記後面の偏光板１０を透過して前記液晶表示素子１の全ての画素行１３ａ，１３ｂの複数の画素１２に入射する。
【００８５】
そして、前記第３の照明光３７は、前記液晶表示素子１の法線方向に光強度のピークをもった指向性を有しているため、前記液晶表示素子１の全ての画素行１３ａ，１３ｂから、これらの各画素行１３ａ，１３ｂの複数の画素１２に書込まれた第３の画像データに対応した第３の画像光（各画素１２に入射した第３の照明光３７のうちの前記画素１２を透過した光）３７ａが、前記液晶表示素子１の正面方向（液晶表示素子１の法線付近の方向）に出射する。
【００８６】
したがって、この液晶表示装置によれば、第１と第２の画像からなる２つの画像を前記液晶表示素子１の法線方向に対して前記画素行１３ａ，１３ｂの左端方向に傾いた第１の方向と前記画素行１３ａ，１３ｂの右端方向に傾いた第２の方向との２つの方向にそれぞれ表示する２画像表示と、前記第３の画像からなる１つの画像を正面方向に表示する１画像表示とを行うことができる。
【００８７】
なお、前記２画像表示は、ナビゲーション画像とビデオ画像とを運転席方向と助手席方向とに表示するカーナビゲーション表示に限らず、例えば、立体画像を表示するための左眼用と右眼用の２つの画像を前記観察者の左眼方向と右眼方向とにそれぞれ表示する立体画像表示でもよい。
【００８８】
また、この液晶表示装置は、上述したように、前記駆動手段４２に、前記１画像表示駆動時に前記面光源１５から前記第３の照明光３７と前記第１と第２の照明光３５，３６とを照射させる手段をさらに備えさせているため、前記第３の画像を、前記正面方向からだけでなく、前記液晶表示素子１の法線方向に対して前記画素行１３ａ，１３ｂの左端方向及び右端方向に傾いた方向からも観察させる１画像の広視野表示を行うこともできる。
【００８９】
なお、この１画像の広視野表示において前記液晶表示素子１の法線方向に対して前記画素行１３ａ，１３ｂの左端方向及び右端方向に傾いた方向から観察される画像はそれぞれ、前記液晶表示素子１の１行置きの複数の画素行により表示される画像、つまり前記第３の画像のうちの奇数番の画素行１３ａによる表示画像と、前記第３の画像のうちの偶数番の画素行１３ａによる表示画像であるが、前記各画素行１３ａ，１３ｂの幅は、前記画素１２の列方向の長さ（４５〜９０μｍ）と実質的に同じであるため、１行置きの画素行に表示される画像も充分に認識することができる。
【００９０】
なお、上記実施例の面光源１５は、前記導光板１６の液晶表示素子１に対向する側に、図６〜図８に示した構成のプリズムシート２８を配置したものであるが、前記導光板１６の液晶表示素子１に対向する側に配置するプリズムシートは、他の構成のものでもよい。
【００９１】
図１５〜図１７は前記導光板１６の液晶表示素子１に対向する側に配置するプリズムシートの変形例を示しており、図１５は前記プリズムシートの一部分の拡大斜視図、図１６及び図１７は図１５のXVI−XVI線及びXVII−XVII線に沿うハッチングを省略した断面図である。
【００９２】
このプリズムシート４６は、透明フィルム４７の前記導光板１６に対向する面に、前記導光板１６に向かって突出する複数のプリズム部４８を、図６〜図８に示したプリズムシート２８のプリズム部３０と同じピッチＬ１，Ｌ２で配列させて形成したものであり、これらのプリズム部４８は、前記導光板１６の第１の入射端面１７の方向に向いた第１の入射面４９と、前記導光板１６の第２の入射部１８の方向に向いた第２の入射面５０と、前記導光板１６の第３の入射部１９の方向に向いた第３の入射面５１とを有し、前記透明フィルム４７側の基部の断面形状が、前記第１と第２の入射端面１７，１８にそれぞれ対応する２つの辺の長さが前記第３の入射端面１９に対応する辺の長さよりも短い長方形状で、且つその４つの角部がそれぞれ円弧状に面取りされた形状に形成され、前記導光板１６側の頂部の断面形状が、前記第１と第２と第３の各入射端面１７，１８，１９にそれぞれ対応する各辺の長さが前記長方形状の短辺の長さよりも短い正方形状で、且つその４つの角部がそれぞれ前記基部の断面形状の円弧状部よりも小さい半径で円弧状に面取りされ、前記プリズム部４８の頂部の断面形状の中心が、前記透明フィルムの法線方向と平行で且つ前記プリズム部４８の基部の断面形状の中心を通る線上に位置し、さらに前記頂部が前記透明フィルム４７面と平行な平坦面５２に形成された実質的に裁頭錐状の凸部からなっている。
【００９３】
そして、これらのプリズム部４８の第１、第２、第３の各入射面４９，５０，５１は、前記透明フィルム４７側から前記導光板１６側に向かって前記プリズム部４８の中心方向に傾いた傾斜面からなっており、これらの入射面４９，５０，５１の前記透明フィルム４７面に対する傾斜角は、前記第１の入射面４９の傾斜角をθ１、前記第２の入射面５０の傾斜角をθ２、前記第３の入射面５１の傾斜角をθ３としたとき、θ１＝θ２＜θ３の関係に設定されている。
【００９４】
このプリズムシート４６は、上記のような構成であるため、前記導光板１６に第１の入射端面１７から入射して前記反射面２１により反射された第１の照明光３５を、図１６に矢線で示したように、前記第１の入射面４９により屈折させて前記透明フィルム４７の他方の面から前記液晶表示素子１の法線方向に対して前記画素行１３ａ，１３ｂの一端方向に傾いた方向に出射させ、前記導光板１６に第２の入射端面１８から入射して前記反射面２１により反射された第２の照明光３６を、図１６に矢線で示したように、前記第２の入射面５０により屈折させて前記透明フィルム４７の他方の面から前記液晶表示素子１の法線方向に対して前記画素行１３ａ，１３ｂの他端方向に傾いた方向に出射させ、前記導光板１６の第３の入射端面１９から入射して前記反射面２１により反射された第３の照明光３７を、図１７に矢線で示したように、前記第３の入射面５１により屈折させて前記透明フィルム４７の他方の面から前記液晶表示素子１の法線方向に出射させることができる。
【００９５】
なお、前記面光源１５の出射方向制御手段は、上述したプリズムシート２８または４６に限らず、前記導光板１６に前記第１の入射端面１７から入射して前記反射面２１により反射された光を、前記液晶表示素子１の法線方向に対して前記画素行１３ａ，１３ｂの一端方向に傾いた方向に出射させ、前記導光板１６に前記第２の入射端面１８から入射して前記反射面２１により反射された光を、前記液晶表示素子１の法線方向に対して前記画素行１３ａ，１３ｂの他端方向に傾いた方向に出射させ、前記導光板１６の前記液晶表示素子１の画素行１３ａ，１３ｂに対して直交する方向の第３の入射端面１９から入射して前記反射面２１により反射された光を、前記液晶表示素子１の法線方向に出射させるものであれば、他の構成のものでもよい。
【００９６】
また、前記面光源１５の導光手段は、前記導光板１６に限らず、例えば、上記実施例において導光板１６の背後に配置された反射板２２と前記プリズムシート２８との間に導光空間を形成し、その導光空間の周囲のうちの前記画素行１３ａ，１３ｂの一端方向及び他端方向の２つの端部と、前記画素行１３ａ，１３ｂに対して直交する方向の２つの端部の少なくとも一方とをそれぞれ、前記液晶表示素子１の法線方向に対して実質的に直交する方向から光を入射させるための入射部とした構成とし、前記導光空間に前記入射部から入射した光を、前記反射板２２からなる反射面により液晶表示素子１に向けて反射するようにしてもよい。
【００９７】
さらに、前記面光源１５と液晶表示素子１との間に配置する偏光制御素子２８の第１の偏光制御部４０と第２の偏光制御部４１は、λ／２位相差膜に限らず、直線偏光の偏光面を回転させる光学特性を有するものであれば、例えば液晶分子を予め定めた方向に配列させた液晶ポリマーフィルム等でもよい。
【００９８】
また、上記実施例の表示装置は、液晶表示素子１を備えたものであるが、画像を表示するための表示素子は、表示の観察側に対向する前面とその反対側の後面とのうちの少なくとも前記後面に偏光板が配置され、光の透過を制御する複数の画素が複数行に配列させて形成された画面エリアを有し、前記複数の画素の各配列行からなる各画素行の複数の画素に画像データが書込まれ、その画像データに応じた画像を表示するものであれば、前記液晶表示素子１に限らない。
【図面の簡単な説明】
【００９９】
【図１】この発明の一実施例を示す液晶表示装置の斜視図。
【図２】前記液晶表示装置の液晶表示素子の一部分の断面図。
【図３】前記液晶表示装置の面光源の分解斜視図。
【図４】前記面光源の図１におけるIV−IV線に沿うハッチングを省略した断面図。
【図５】前記面光源の図１におけるV−V線に沿うハッチングを省略した断面図。
【図６】前記面光源のプリズムシートの一部分の拡大斜視図。
【図７】図６のVII−VII線に沿うハッチングを省略した断面図。
【図８】図６のVIII−VIII線に沿うハッチングを省略した断面図。
【図９】前記面光源から照射される第１の照明光の偏光分布図。
【図１０】前記面光源から照射される第２の照明光の偏光分布図。
【図１１】前記面光源から照射される第１及び第２の照明光の画素行と平行な方向における強度分布図。
【図１２】前記液晶表示装置の駆動手段のブロック回路図。
【図１３】前記液晶表示装置の画像表示のときの出射光線図。
【図１４】前記液晶表示装置の画像表示のときの出射光線図。
【図１５】前記面光源のプリズムシートの変形例を示す一部分の拡大斜視図。
【図１６】図１５のXVI−XVI線に沿うハッチングを省略した断面図。
【図１７】図１５のXVII−XVII線に沿うハッチングを省略した断面図。
【符号の説明】
【０１００】
１…液晶表示素子、９，１０…偏光板、９ａ，１０ａ…透過軸、１１…画面エリア、１２…画素、１３ａ，１３ｂ…画素行、１５…面光源、１６…導光板（導光手段）、１７，１８，１９…入射端面（入射部）、２０…出射面、２１…反射面、２２…反射板、２３，２４，２５…発光素子、２６，２７…偏光素子、２６ａ，２７ａ…透過軸、２８，４６…プリズムシート（出射方向制御手段）、２９，４７…透明フィルム、３０，４８…プリズム部、３１，４９…第１の入射面、３２，５０…第２の入射面、３３，５１…第３の入射面、３４，５２…平坦面、３５…第１の照明光、３６…第２の照明光、３７…第３の照明光、３８…偏光制御素子、３９…透明フィルム、４０，４１…λ／２位相差膜（偏光制御部）、４２…駆動手段。
【図１】
2008233674.tif 000003
【図２】
2008233674.tif 000004
【図３】
2008233674.tif 000005
【図４】
2008233674.tif 000006
【図５】
2008233674.tif 000007
【図６】
2008233674.tif 000008
【図７】
2008233674.tif 000009
【図８】
2008233674.tif 000010
【図９】
2008233674.tif 000011
【図１０】
2008233674.tif 000012
【図１１】
2008233674.tif 000013
【図１２】
2008233674.tif 000014
【図１３】
2008233674.tif 000015
【図１４】
2008233674.tif 000016
【図１５】
2008233674.tif 000017
【図１６】
2008233674.tif 000018
【図１７】
2008233674.tif 000019